(57)【要約】  【課題】  付着物検知処理及びシェーディング補正処理を効率良く実行すると共に，上記各処理の精度を高めること。  【解決手段】  ＡＤＦ等の原稿搬送手段により順次搬送された原稿に対して，光学系受光手段により受光された単色基準板からの基準板反射光の受光量を用いて付着物検知処理を実行し，上記付着物検知処理に用いられる上記基準板反射光の受光量に基づき上記シェーディング補正処理を実行する。即ち，同一の基準板反射光の受光量を用いて上記付着物検知処理及び上記シェーディング補正処理が実行される。【選択図】図１
2005217914.tif 000002
【特許請求の範囲】
【請求項１】
コンタクトガラス上の原稿読取位置を副走査方向に通過するよう原稿を順次搬送する原稿搬送手段と，
少なくとも上記原稿読取位置で，所定の単色基準板から反射された主走査方向の基準板反射光を受光する固定された光学系受光手段と，
上記コンタクトガラス上の上記原稿読取位置における付着物を検知する付着物検知処理を行う付着物検知手段と，
上記光学系受光手段についてシェーディング補正処理を行うシェーディング補正手段と，
を備えた画像読取装置において，
上記光学系受光手段により受光された上記基準板反射光の受光量を用いて上記付着物検知手段による上記付着物検知処理を実行させ，該付着物検知処理に用いられる上記基準板反射光の受光量に基づき上記シェーディング補正手段による上記シェーディング補正処理を実行させてなることを特徴とする画像読取装置。
【請求項２】
上記シェーディング補正手段は，上記原稿或いは上記単色基準板に光を照射する露光装置の露光特性に応じた上記基準板反射光の受光量に基づき上記シェーディング補正処理を実行するものである請求項１に記載の画像読取装置。
【請求項３】
上記光学系受光手段により受光された上記基準板反射光の受光量が，上記露光装置の露光特性に適合するかどうかを判断する特性適合判断手段と，
上記特性適合判断手段による判断結果に基づいて，上記単色基準板或いは上記コンタクトガラス上に付着物がある旨の警報表示出力をする警報表示出力手段とを更に備えてなる請求項１又は２に記載の画像読取装置。
【請求項４】
上記基準板反射光の受光量を平均化する平均化処理手段を更に備え，
上記シェーディング補正手段が，上記平均化処理手段により平均化された平均受光量に基づき上記シェーディング補正処理を行うものである請求項１〜３のいずれかに記載の画像読取装置。
【請求項５】
上記平均化処理手段は，上記基準板反射光の受光量から一定の濃度値を超える受光量が除去された受光量を平均化するものである請求項４に記載の画像読取装置。
【発明の詳細な説明】
【技術分野】
【０００１】
本発明は，自動原稿搬送装置（ＡＤＦ）等によりコンタクトガラス上の原稿読取位置を副走査方向に移動された原稿に光源からの光を照射させ，上記原稿からの反射光を固定されたＣＣＤ等の光学系受光手段で受光することにより，原稿の画像データを読み取る画像読取装置に係り，特に，上記自動原稿搬送装置により順次搬送された原稿の画像データを読み取る際に実行される，上記コンタクトガラス面に付着した付着物を検知する付着物検知処理，及び読取画像の画像ムラ等を補正する上記光学系受光手段についてのシェーディング補正処理を効率良く行うことが可能な画像読取装置に関するものである。
【背景技術】
【０００２】
従来，図４に示される自動原稿搬送装置（ＡＤＦ）６０を備えた画像読取装置Ａにおいては，原稿Ｓの画像データの読取処理の高速化を図るため，上記ＡＤＦ６０によってコンタクトガラス６６上の原稿読取位置６７と原稿押さえ６４との間に，複数の原稿を副走査方向に順次移動させ，上記原稿Ｓが上記原稿読取位置６７を通過する際に，露光装置７１から上記移動する原稿Ｓに光Ｌ１を照射させ，上記原稿Ｓからの反射光Ｌ２を固定されたＣＣＤ７６等の光学系受光手段７２〜７６で受光することにより，原稿の画像データを読み取る原稿読取方式が採用されている。なお，図４は従来の画像読取装置Ａの概略構成を示す模式断面図であり，図中の６１は原稿セット部，６２は原稿排出部，６４ａは上記原稿押さえ６４に設けられた単色基準板，６５は搬送された原稿の位置を検出する位置検出センサ，６８は操作表示部，７２〜７４は原稿或いは単色基準板６４ａからの反射光を光学レンズ７５を介して上記ＣＣＤ７６に導光するミラー，１０はＣＣＤ７６により受光された受光量に基づき所定の画像処理を実行する画像処理制御部である。
【０００３】
しかしながら，前記した原稿読取方式により，上記コンタクトガラス６６上の上記原稿読取位置６７に所定以上の大きさの汚れやゴミ等の付着物が付着した状態で原稿Ｓが読み取られると，上記付着物がいわゆる黒筋画像として読み取られ，読取画像の品質が低下することになる。このような黒筋画像の発生を未然に防ぐため，上記画像読取装置Ａの上記画像処理制御部１０には，上記コンタクトガラス６６上の上記原稿読取位置６７における付着物を検知する周知の付着物検知機能（付着物検知手段）が設けられている。この付着物検知機能は，搬送された原稿からの反射光（以下，「原稿反射光」という）の受光量，及び上記原稿の先端部前部及び後端部後部の上記原稿読取位置６７に原稿が無い部分（以下，「無原稿部分」という）で受光した上記単色基準板６４ａからの反射光（以下，「基準板反射光」という）の受光量それぞれに，主走査方向における同一位置に所定以上の濃度を有す画素が存在するか否かを判断することにより，上記コンタクトガラス６６上の付着物を検知するものである。なお，特許文献１に上記付着物検知機能に関連する技術が提案されている。
【０００４】
一方，上記露光装置７１に用いられる直管ランプやハロゲンランプ等の光源は，図５に示すように，点灯後，時間の経過に従い露光量が徐々に低下し，数分（光源の種類により異なるが概ね２分から１０分程度）経過後に露光量が安定するという露光特性（ランプ特性）を有する。従って，数十枚，数百枚の原稿の画像を連続して読み取る場合は，露光開始直後に読み取られた１枚目の原稿画像と露光後数分経過後に読み取られた数十枚目の原稿画像とでは，読み取られる受光量に差が生じるため，原稿間で読取画像の色調，明度が異なるという不都合がある。このような不都合を回避するため，上記画像読取装置Ａの上記画像処理制御部１０には，上記光学系受光手段により読み取られた受光量に基づき，読み取られた画像データの画像ムラ等を補正する周知のシェーディング補正機能（シェーディング補正手段）が設けられている。このシェーディング補正機能は，１枚目の原稿が上記原稿読取位置６７に到達する前の上記原稿読取位置６７に原稿が無い部分（無原稿部分）で上記単色基準板６４ａからの基準板反射光を受光し，その後，搬送された原稿と該原稿の次順に搬送された原稿との間隙（紙間）の無原稿部分で受光した上記単色基準板６４ａからの基準板反射光を適宜受光し，このように受光された各受光量の差分に基づき作成された補正データを用いて，上記露光装置７１の光量補正，或いは読取画像の明度や色調の補正を行うものである。なお，特許文献２に上記シェーディング補正機能に関連する技術が提案されている。
【特許文献１】特開２０００−１９６８１４号公報
【特許文献２】特開２０００−２７０１７１号公報
【発明の開示】
【発明が解決しようとする課題】
【０００５】
しかしながら，上記従来周知の付着物検知機能及び上記シェーディング補正機能の両機能を備えた画像読取装置Ａでは，上記各機能に基づく上記付着物検知処理と上記シェーディング補正処理とが，上記ＡＤＦ６０により順次搬送された原稿に対して，交互に或いは間欠的に実行されていた。即ち，図３の模式図を用いて従来行われていた処理について説明すると，まず，１枚目の原稿Ｓ1の前部の無原稿部分，及び原稿Ｓ1と次順の原稿Ｓ2との紙間で受光された基準板６４ａからの基準板反射光の受光量，及び原稿Ｓ1からの原稿反射光の受光量に基づき上記付着物検知処理が実行されると，次は，上記原稿Ｓ1の次順に搬送された２枚目の原稿Ｓ2の前後の紙間で受光された基準板反射光の受光量に基づいて上記シェーディング補正処理が実行される。また，その次順に搬送された３枚目の原稿Ｓ3に対しては，上記原稿Ｓ1と同様にして上記付着物検知処理が実行される。このように，従来は，上記画像読取装置Ａにおいて，上記付着物検知処理と上記シェーディング補正処理とが異なるタイミングで読み取られた異なる基準板反射光の受光量に基づいて別々に行われていたために，処理の効率が良くなかった。更に，上記各処理が上述のように別々に行われていたために以下の問題が招来するおそれがある。
即ち，１枚目の原稿に対して上記付着物検知処理が行われている間は，上記シェーディング補正処理は２枚目以降の原稿に対し実行されるため，１枚目の原稿画像及び２枚目以降の原稿画像間に生じる色調差や明度差が補正されないという問題がある。
また，上記シェーディング補正処理が行われている間は，上記付着物検知処理が実行されないため，例えば，上記シェーディング補正処理中にコンタクトガラス上に汚れ等の付着物が付着した場合(例えば原稿に付着していた汚れ，ゴミが転移して付着した場合)，これを検知することができず，上記付着物がいわゆる黒筋画像として読取画像に現れ，画像品質が低下するという問題がある。また，この場合，上記シェーディング補正処理に用いられる基準板反射光の受光量に上記黒筋画像が含まれるため，シェーディング補正精度が低下するという問題もある。
従って，本発明は上記事情に鑑みてなされたものであり，その目的とするところは，付着物検知機能による付着物検知処理，及びシェーディング補正機能によるシェーディング補正処理を効率良く実行すると共に，上記各処理の精度を高めることが可能な画像読取装置を提供することにある。
【課題を解決するための手段】
【０００６】
上記目的を達成するために本発明は，コンタクトガラス上の原稿読取位置を副走査方向に通過するよう原稿を順次搬送する原稿搬送手段と，少なくとも上記原稿読取位置で，所定の単色基準板から反射された主走査方向の基準板反射光を受光する固定された光学系受光手段と，上記コンタクトガラス上の上記原稿読取位置における付着物を検知する付着物検知処理を行う付着物検知手段と，上記光学系受光手段についてシェーディング補正処理を行うシェーディング補正手段と，を備えた画像読取装置において，上記光学系受光手段により受光された上記基準板反射光の受光量を用いて上記付着物検知手段による上記付着物検知処理を実行させ，該付着物検知処理に用いられる上記基準板反射光の受光量に基づき上記シェーディング補正手段による上記シェーディング補正処理を実行させてなることを特徴とする画像読取装置として構成されている。
これにより，上記付着物検知処理及び上記シェーディング補正処理に用いる上記基準板反射光を個別に受光する必要が無くなるため，上記各処理が効率良く実行され得る。
また，同一の基準板反射光を用いて上記各処理がなされるため，上記原稿搬送手段によって順次搬送される複数の原稿それぞれに対して上記付着物検知処理及び上記シェーディング補正処理を実行することが可能となる。これにより，コンタクトガラスに付着した付着物を見過ごすことなく付着物が検知され，付着物検知処理の精度が向上される。更に，上記付着物検知処理により上記付着物が略完全に除去されるため，上記シェーディング補正処理に用いられる基準板反射光に上記黒筋画像を含むことが無くなり，上記シェーディング補正処理の精度が向上される。また，原稿毎に露光装置等の光量補正や画像補正を行うことが可能となるため，シェーディング補正処理の精度が更に向上される。
【０００７】
ところで，上記露光装置は，上述したように露光特性（図５参照）を有する。通常，この露光特性に適合しない反射光には，ゴミ，汚れ等によるいわゆる黒筋画像，或いはそれ以外の余計な画像が含まれていると考えられる。従って，上記適合しない反射光の受光量をシェーディング補正処理の対象から除外して上記シェーディング補正処理を実行するべく，上記シェーディング補正手段は，上記原稿或いは上記単色基準板に光を照射する露光装置の露光特性に応じた上記基準板反射光の受光量に基づき上記シェーディング補正処理を実行するものであることが好ましい。これにより，シェーディング補正処理の精度が向上され，読取画像の画像品質が良好となる。
この場合，本画像読取装置は，上記光学系受光手段により受光された上記基準板反射光の受光量が上記露光装置の露光特性に適合するかどうかを判断する特性適合判断手段と，上記特性適合判断手段による判断結果に基づいて上記単色基準板或いは上記コンタクトガラス上に付着物がある旨の警報表示出力をする警報表示出力手段とを更に備えて構成されたものであることが望ましい。
【０００８】
また，上記基準板反射光の受光量を平均化する平均化処理手段を更に備え，上記シェーディング補正手段が，上記平均化処理手段により平均化された平均受光量に基づき上記シェーディング補正処理を行うものであってもよい。この場合，上記平均化処理手段は，上記基準板反射光の受光量から一定の濃度値を超える受光量が除去された受光量を平均化するものであることが望ましい。
これにより，平均化された単調な受光量を用いてシェーディング補正処理がなされるため処理速度が向上し，処理時間が短縮され得る。また，上記基準板反射光の受光量から，例えば，一定の濃度値を超えるゴミ等による黒筋画像に対応する受光量が除去されるため，上記シェーディング補正処理の精度が更に高められ，より良好な読取画像が得られる。
【発明の効果】
【０００９】
以上説明したように，本発明によれば，ＡＤＦ等の原稿搬送手段により順次搬送された原稿に対して，光学系受光手段により受光された単色基準板からの基準板反射光の受光量を用いて付着物検知処理が実行され，上記付着物検知処理に用いられる上記基準板反射光の受光量に基づき上記シェーディング補正処理が実行される。即ち，同一の基準板反射光の受光量を用いて上記付着物検知処理及び上記シェーディング補正処理が実行される。そのため，上記付着物検知処理及び上記シェーディング補正処理に用いる上記基準板反射光を個別に受光する必要が無くなり，上記各処理が効率良く実行され得る。
更に，上記原稿搬送手段によって順次搬送される複数の原稿それぞれに対して上記付着物検知処理及び上記シェーディング補正処理を実行することが可能となる。これにより，コンタクトガラスに付着した付着物を見過ごすことなく付着物が検知されるため，付着物検知処理の精度が向上される。また，上記付着物検知処理により上記付着物が略完全に除去されるため，上記シェーディング補正処理に用いられる基準板反射光の受光量に上記黒筋画像が含まれることが無くなり，上記シェーディング補正処理の精度が向上される。また，原稿毎に露光装置等の光量補正や画像補正が行われるため，シェーディング補正処理の精度が更に向上され，良好な読取画像が得られる。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る画像読取装置Ｘの画像処理制御部１０の概略構成を示すブロック図，図２は上記画像処理制御部１０により実行される付着物検知処理及びシェーディング補正処理の手順を説明するフローチャート，図３は移動する原稿（Ｓ1〜Ｓ3）の画像を読み取る動作を説明するための模式図，図４は画像読取装置の概略構成を示す模式断面図，図５は露光装置の露光特性を示すグラフ図である。なお，図３は，説明を簡易にするため，原稿（Ｓ1〜Ｓ3）が矢印Ｐ方向（紙面右方向）に向かって水平に移動する様子を示すが，実際は，上記ＡＤＦ６０内の湾曲した搬送路を通って移動する。
【００１１】
ここで，図４を用いて，本発明の実施の形態に係る画像読取装置Ｘの概略構成ついて説明する。ここに，図４（ａ）は画像読取装置Ｘの側面から見た模式断面図であり，（ｂ）は（ａ）に示す矢視Ａから見た画像読取装置Ｘの正面図である。なお，画像読取装置Ｘは，本発明の実施形態に係る画像読取装置の一例に過ぎず，他の例として，自動原稿搬送装置を備えた複写機，ファクシミリ装置，スキャナ装置，或いはこれら複数の装置が持つ機能を併せ持つ複合機等が該当する。
本画像読取装置Ｘは，大別すると，前記した従来の画像読取装置Ａと同様に，装置本体５０と，該装置本体５０の上方に配置された自動原稿搬送装置（ＡＤＦ）６０とにより構成されている。
【００１２】
上記ＡＤＦ６０は，原稿セット部６１にセットされた１以上の原稿Ｓを順次搬送して，コンタクトガラス６６上の原稿読取位置６７を副走査方向に通過するよう原稿Ｓを移動させるものである。このＡＤＦ６０の内部には，移動する原稿Ｓを押さえるための原稿押さえ６４が上記原稿読取位置６７に対応する位置に上記コンタクトガラス６６に近接して配置されている。また，上記原稿押さえ６４の原稿Ｓが送り込まれる側の近傍には，搬送された原稿Ｓの位置を検出する位置検出センサ６５等が配置されている。更に，上記原稿押さえ６４の上記コンタクトガラス６６側の面（光が照射される側の面）には白色或いは灰色等の単色基準板６４ａが貼着されている。
【００１３】
上記装置本体５０の上面にはコンタクトガラス６６が設けられ，正面側側面には，キーボード等の操作キーからなる操作部や液晶ディスプレイ等の表示部を有する操作表示部６８が配設されている。
上記装置本体５０の内部には，原稿Ｓ或いは上記単色基準板６４ａに光を照射する露光装置（光源）７１と，上記原稿Ｓ或いは上記単色基準板６４ａからの反射光を上記コンタクトガラス６６を介して受光するミラー７２〜７４，光学レンズ７５，ＣＣＤ７６等からなる光学系受光手段７０と，上記単色基準板６４ａからの反射光及び上記原稿読取位置６７を移動する原稿Ｓからの反射光が上記ＣＣＤ７６により受光されて電気信号に変換された受光データ（受光量）を用いて，後述する付着物検知処理（付着物検知手段により達成）及びシェーディング補正処理（シェーディング補正手段により達成）を実行する画像処理制御部１０とが適宜配設されている。
【００１４】
上記露光装置７１及び上記光学系受光手段７０のミラー７２（キャリッジともいう）は，上記コンタクトガラス６６上に載置された静止原稿の画像を読み取る場合は，上記静止原稿に沿って副走査方向に移動しながら上記原稿からの反射光を受光する。しかし，本発明のように，上記原稿読取位置６７を移動する移動原稿Ｓ及び上記単色基準板６４ａからの反射光を受光する場合は，上記露光装置７１は上記原稿読取位置６７に光を照射することができる位置に，そして，上記ミラー７２は上記原稿読取位置６７において上記移動原稿Ｓ及び上記単色基準板６４ａからの反射光を受光することができる位置にそれぞれ固定される。
【００１５】
ここで，上記付着物検知処理及びシェーディング補正処理を実行する上記画像処理制御部１０の概略構成について，図１のブロック図を用いて説明する。
図１に示すように，上記画像処理制御部１０は，ＣＰＵ１１と，ＲＡＭ１２と，ＲＯＭ１３と，ＡＳＩＣ２０と，外部のＣＣＤ７６等の光学系受光手段７０及び上記操作表示部６８等と接続してデータや信号を入出力する外部端子１４とが相互に接続されて構成されている。
上記ＡＳＩＣ２０（Application Specific Integrated Circuit）は，上記画像読取装置Ｘに付着物検知機能及びシェーディング補正機能を持たせるために設計されたＩＣであって，内部には，上記コンタクトガラス６６上の上記原稿読取位置６７における付着物を検知する付着物検知処理を行う付着物検知回路２３（付着物検知手段の一例），該付着物検知回路２３により処理される受光量（受光データ）を一時的に格納するバッファ２１，上記光学系受光手段７０についてシェーディング補正処理を行うシェーディング補正回路２４（シェーディング補正手段の一例），該シェーディング補正回路２４により処理される受光量（受光データ）を一時的に格納するバッファ２２等が備えられている。
上記ＲＯＭ１３には，上記付着物検知回路２３及び上記シェーディング補正回路２４に所定の処理を実行させるためのプログラムや，上記露光装置７１の露光特性（図５）に関するデータが記憶されている。上記各構成部を統括的に制御する上記ＣＰＵ１２により上記ＲＯＭ１３から上記プログラムが読み出され，該プログラムに従った処理がなされることによって，上記付着物検知回路２３，上記シェーディング補正回路２４が動作されて，付着物検知処理，シェーディング補正処理が実現される。
【００１６】
次に，図３の模式図を参照しながら，図２のフローチャートを用いて，本画像読取装置Ｘの上記画像処理制御部１０においてＣＰＵ１１及びＡＳＩＣ２０により実行される付着物検知処理及びシェーディング補正処理の手順の一例について説明する。図中のＳ１０，Ｓ２０，…は処理手順（ステップ）番号を示す。処理はステップＳ１０より開始される。なお，図３は原稿押さえ６４及びコンタクトガラス６６との間を副走査方向に移動する原稿（Ｓ1〜Ｓ3）の移動状態を示す模式図である。
【００１７】
上記原稿セット部６１（図４）に載置された原稿（Ｓ1〜Ｓ3）が上記ＡＤＦ６０（図４）により原稿Ｓ1から順次搬送され，１枚目に搬送された原稿Ｓ1の先端部Ｓａ（図３）が上記位置センサ６５により検出されると（Ｓ１０），上記ＣＰＵ１１は，上記先端部Ｓａが上記原稿読取位置６７に到達するのに先立ち，上記露光装置７１による露光を開始させて，上記原稿押さえ６４に設けられた単色基準板６４ａの主走査方向全域からの反射光Ｌ１（以下，基準板反射光Ｌ１と称す）を上記光学系受光手段７０（図１）に受光させる（Ｓ２０）。
そして，上記光学系受光手段７０により受光された上記基準板反射光Ｌ１の受光量（以下，受光データＤ１と称す）が上記ＡＳＩＣ２０内のバッファ２１に記憶される（Ｓ３０）。
【００１８】
続いて，上記原稿Ｓ1の先端部Ｓａが上記原稿読取位置６７に到達すると，上記原稿Ｓ1からの反射光（原稿Ｓ1反射光）が上記光学系受光手段により受光され，上記原稿Ｓ1反射光の受光量（受光データ）が上記バッファに２１に記憶される（Ｓ４０）。
上記原稿Ｓ1がさらに搬送され，上記原稿Ｓ1の後端部Ｓｂ（図３）が上記位置センサ６５により検出されると，上記位置センサ６５と上記原稿読取位置６７との距離及び原稿の搬送速度に基づき上記原稿Ｓ1の後端部Ｓｂが上記原稿読取位置６７を通過するタイミングを見計らって，上記露光装置７１による露光が終了する。このとき，上記後端部Ｓｂが上記原稿読取位置６７を到達した後においても，短時間ではあるが，上記露光装置７１による露光がされて，上記光学系受光手段による受光が行われる。従って，このとき，再度，上記単色基準板６４ａの主走査方向全域からの反射光（以下，基準板反射光Ｌ２と称す）が上記光学系受光手段により受光される（Ｓ５０）。その後，上記基準板反射光Ｌ２の受光量（以下，受光データＤ２と称す）は上記ＣＰＵ１１により上記バッファ２１に記憶される（Ｓ６０）。なお，このとき受光される上記基準板反射光Ｌ２（Ｓ５０参照）は，上記露光装置７１の露光特性（図５）に起因して，上記基準板反射光Ｌ１（Ｓ２０参照）より幾分か光量が落ちたものとなっている。
【００１９】
ステップＳ６０において，上記基準板反射光Ｌ２の受光データＤ２が上記バッファ２１に記憶されると，続いて，上記バッファ２１に記憶された上記基準板反射光Ｌ１の受光データＤ１（Ｓ３０），上記基準板反射光Ｌ２の受光データＤ２（Ｓ６０），上記原稿Ｓ1反射光の受光データ（Ｓ４０）が上記ＣＰＵ１１により上記ＡＳＩＣ２０の付着物検知回路２３に送り込まれる。一方，上記ＡＳＩＣ２０では，上記各受光データＤ１，Ｄ２が比較されて，主走査方向の同一位置に一定以上の濃度を有する黒画素（黒ピーク値という）が共通して存在するかどうかが判断される（Ｓ７０）。なお，Ｓ７０で実行される処理が付着物検知処理である。
ここで，上記黒ピーク値が共通して存在しないと判断されると，処理はＳ１００に進む。一方，上記黒ピーク値が共通して存在すると判断されると，上記付着物検知回路２３からゴミ有り情報（上記コンタクトガラス６６上或いは単色基準板６４ａにゴミや汚れ等の付着物が付着している旨の情報）が送出され，このゴミ有り情報が上記ＣＰＵ１１によって本画像読取装置Ｘに設けられた操作表示部６８（図１）等に表示出力される（Ｓ８０）。その後，上記ＣＰＵ１１により，上記基準板反射光Ｌ１及びＬ２の受光データＤ１及びＤ２から上記黒ピーク値を取り除く処理が行われる（Ｓ９０）。
【００２０】
次に，Ｓ１００では，受光された上記基準板反射光Ｌ２の受光データＤ２が上記露光装置７１の露光特性（図５）に適合するかどうかが判断される。かかる判断は，ＲＯＭ１３等の記憶装置に記憶された上記露光特性を読み出し，上記受光データＤ２が上記読み出された露光特性と略一致するかどうかにより判断される。なお，Ｓ１００における処理が特性適合判断手段による特性適合判断処理である。
ここで，上記受光データＤ３が上記露光特性に適合すると判断されると，続いて，上記バッファ２１に記憶された受光データＤ１及びＤ２が上記ＲＡＭ１２上に展開され，上記受光データＤ１及びＤ２が上記ＣＰＵ１１により平均化（平均化処理）され（Ｓ１１０），その後，平均化された受光データＤ１の平均受光量（以下，平均受光データＤ３と称す），及び平均化された受光データＤ２の平均受光量（以下，平均受光データＤ４と称す）が上記バッファ２２に記憶される（Ｓ１２０）。
一方，上記受光データＤ２が上記露光特性に適合しないと判断されると（Ｓ１００のＮｏ側），上記露光特性に適合しない上記基準板反射光Ｌ２の受光データＤ２に，ゴミ等による黒筋画像或いはそれ以外の余計な画像が含まれていると予想されるため，ステップＳ１０１において，上述のステップＳ８０と同様に，上記ＣＰＵ１１により上記ゴミ有り情報が操作表示部６８（図１）等に警報或いは表示出力される。なお，Ｓ１０１における処理が警報表示出力手段による警報表示出力処理である。
その後，上記受光データＤ２を用いたシェーディング処理が行われずに，次順に搬送される原稿に対して上記Ｓ１０〜Ｓ１００の処理が繰り返し実行される。このように，上記露光特性に適合しない受光データはシェーディング補正処理の対象から除外されるため，シェーディング補正処理の精度が向上され，読取画像の画像品質が良好となる
【００２１】
上記バッファ２２に，上記平均受光データＤ３及び平均受光データＤ４が記憶されると（Ｓ１２０），続いて，上記ＣＰＵ１１により，上記バッファ２２に記憶された上記各平均受光データＤ３，Ｄ４が上記シェーディング補正回路２４に送り込まれ，上記シェーディング補正回路２４において，上記平均受光データＤ３及び平均受光データＤ４の差分が算出され，その差分に基づいて，後述の光量補正処理或いは画像補正処理に用いる補正データが作成される（Ｓ１３０）。その後，上記補正データに基づく光量補正処理或いは画像補正処理が実行される（Ｓ１４０）。このように，平均化された単調な受光データを用いて光量補正処理或いは画像補正処理（シェーディング補正処理）がなされるため処理速度が向上し，処理時間が短縮され得る。なお，上記光量補正処理は，上記露光装置７１への供給電力を制御して露光量を均一に調整する周知の処理であり，また，上記画像補正処理は，受光量に基づき生成された各原稿の各画像データ間の明度や色調等をそれぞれ同等となるよう補正する周知の処理である。
上記光量補正処理或いは画像補正処理（Ｓ１４０）が終了すると，続いて，次順に搬送される原稿Ｓ2，更にその次順に搬送される原稿Ｓ3対して上述したＳ１０〜Ｓ１４０の処理が繰り返し実行される。
以上説明したように，本発明によれば，１枚の原稿画像が読み取られる際に，上記付着物検知処理及び上記シェーディング補正処理が実行されるため，基準板反射光を上記各処理別に受光する必要が無くなり，各処理が効率良く実行される。
【図面の簡単な説明】
【００２２】
【図１】本発明の実施の形態に係る画像読取装置Ｘの画像処理制御部１０の概略構成を示すブロック図。
【図２】上記画像処理制御部１０により実行される付着物検知処理及びシェーディング補正処理の手順を説明するフローチャート。
【図３】移動する原稿（Ｓ1〜Ｓ3）の画像を読み取る動作を説明するための模式図。
【図４】画像読取装置の概略構成を示す模式断面図。
【図５】露光装置の露光特性を示すグラフ図。
【符号の説明】
【００２３】
１０…画像処理制御部
１１…ＣＰＵ
１２…ＲＡＭ
１３…ＲＯＭ
１４…入出力端子
２０…ＡＳＩＣ
２１，２２…バッファ
２３…付着物検知回路
２４…シェーディング補正回路
６０…自動原稿搬送装置
６１…原稿セット部
６４…原稿押さえ
６４ａ…単色基準板
６５…位置検出センサ
６６…コンタクトガラス
６７…原稿読取位置
６８…操作表示部
７５…光学レンズ
７６…ＣＣＤ
７１…露光装置
７２〜７４…ミラー
【図１】
2005217914.tif 000003
【図２】
2005217914.tif 000004
【図３】
2005217914.tif 000005
【図４】
2005217914.tif 000006
【図５】
2005217914.tif 000007